(57)【要約】【課題】被記録媒体を搬送経路に導入する際の操作性を向上する。【解決手段】被記録媒体Ｐをセットするセット部１４と、被記録媒体Ｐを搬送する搬送部９と、被記録媒体Ｐの搬送経路に設けられ、被記録媒体Ｐを検出する検出部６と、搬送部９を制御する制御部１８と、を備え、搬送部９は、被記録媒体Ｐの第１面１７と接触可能に設けられ、第１面１７に送り力を付与する駆動ローラー５と、駆動ローラー５と対向する位置に設けられ、被記録媒体Ｐの第２面１６に送風可能な送風部７と、を有し、制御部１８は、被記録媒体Ｐを検出部６が検出すると、送風部７から送風させるように搬送部９を制御する。【選択図】図１
2015136864.tif 000002
【特許請求の範囲】
【請求項１】
被記録媒体をセットするセット部と、
前記被記録媒体を搬送する搬送部と、
前記被記録媒体の搬送経路に設けられ、前記被記録媒体を検出する検出部と、
前記搬送部を制御する制御部と、を備え、
前記搬送部は、
前記被記録媒体の第１面と接触可能に設けられ、前記第１面に送り力を付与する駆動ローラーと、
前記駆動ローラーと対向する位置に設けられ、前記被記録媒体の第２面に送風可能な送風部と、を有し、
前記制御部は、前記被記録媒体を前記検出部が検出すると、前記送風部から送風させるように前記搬送部を制御することを特徴とする記録装置。
【請求項２】
被記録媒体をセットするセット部と、
前記被記録媒体を搬送する搬送部と、
前記セット部に設けられ、前記被記録媒体を検出する検出部と、
前記搬送部を制御する制御部と、を備え、
前記搬送部は、
前記被記録媒体の第１面と接触可能に設けられ、前記第１面に送り力を付与する駆動ローラーと、
前記駆動ローラーと対向する位置に設けられ、前記被記録媒体の第２面に送風可能な送風部と、を有し、
前記制御部は、前記被記録媒体を前記検出部が検出すると、前記送風部から送風させるように前記搬送部を制御することを特徴とする記録装置。
【請求項３】
請求項１に記載の記録装置において、
前記検出部は、前記被記録媒体の搬送方向における前記搬送部の下流側に設けられることを特徴とする記録装置。
【請求項４】
請求項１から３のいずれか１項に記載の記録装置において、
前記送風部は、前記制御部の制御により送風量を調整可能であることを特徴とする記録装置。
【請求項５】
請求項４に記載の記録装置において、
前記被記録媒体の搬送量を検出可能な搬送量検出部を備え、
前記制御部は、前記搬送量検出部が検出した前記搬送量に応じて、前記送風部の送風量を調整可能であることを特徴とする記録装置。
【請求項６】
請求項４又は５に記載の記録装置において、
前記送風部は、前記制御部の制御により前記被記録媒体の搬送方向と交差する方向において送風量を調整可能であることを特徴とする記録装置。
【請求項７】
請求項６に記載の記録装置において、
前記被記録媒体の搬送方向と交差する方向における前記被記録媒体の幅を検出可能な幅検出部を備え、
前記制御部は、前記幅検出部が検出した前記幅に応じて、前記被記録媒体の搬送方向と交差する方向における前記送風部の送風量を調整可能であることを特徴とする記録装置。
【請求項８】
請求項６又は７に記載の記録装置において、
前記被記録媒体が斜行搬送をした場合に斜行方向を検出可能な斜行搬送検出部を備え、
前記制御部は、前記斜行搬送検出部が検出した斜行方向に応じて、前記被記録媒体の搬送方向と交差する方向における前記送風部の送風量を調整可能であることを特徴とする記録装置。
【請求項９】
請求項１から８のいずれか１項に記載の記録装置において、
前記送風部はイオンを吹き出し可能なファンであることを特徴とする記録装置。
【請求項１０】
請求項１から９のいずれか１項に記載の記録装置において、
前記被記録媒体に記録する記録部を備え、
前記制御部は、前記記録部による前記被記録媒体への記録動作中か否かに応じて、前記送風部の送風量を調整可能であることを特徴とする記録装置。
【請求項１１】
被記録媒体を記録装置にセットするセット工程と、
前記被記録媒体を検出する検出工程と、
前記検出工程で前記被記録媒体を検出すると、前記被記録媒体の第１面と接触可能に設けられ前記第１面に送り力を付与する駆動ローラーに向けて、前記駆動ローラーと対向する位置に設けられ前記被記録媒体の第２面に送風可能な送風部から送風する送風工程と、
を有することを特徴とする被記録媒体の搬送経路への導入方法。
【発明の詳細な説明】
【技術分野】
【０００１】
本発明は、記録装置及び被記録媒体の搬送経路への導入方法に関する。
【背景技術】
【０００２】
従来から、駆動ローラーを有する搬送部を用いて被記録媒体を搬送する記録装置が使用されている。例えば、特許文献１には、被記録媒体の搬送経路に設けられ駆動ローラーを有し被記録媒体を挟持するローラー対で構成される搬送部を用いて、被記録媒体を搬送する記録装置が開示されている。
【先行技術文献】
【特許文献】
【０００３】
【特許文献１】特開２００７−１５２７８５号公報
【発明の概要】
【発明が解決しようとする課題】
【０００４】
しかしながら、上記のような従来の記録装置では、被記録媒体を搬送経路に導入する際、一度、被記録媒体を該被記録媒体の搬送経路に導入した後に、該被記録媒体の自重などにより、被記録媒体が搬送経路から抜け出てしまう場合があった。  
このように、従来の記録装置は、被記録媒体を搬送経路に導入する際の操作性が良くなかった。
【０００５】
そこで、本発明の目的は、被記録媒体を搬送経路に導入する際の操作性を向上することである。
【課題を解決するための手段】
【０００６】
上記課題を解決するための本発明の第１の記録装置は、被記録媒体をセットするセット部と、前記被記録媒体を搬送する搬送部と、前記被記録媒体の搬送経路に設けられ、前記被記録媒体を検出する検出部と、前記搬送部を制御する制御部と、を備え、前記搬送部は、前記被記録媒体の第１面と接触可能に設けられ、前記第１面に送り力を付与する駆動ローラーと、前記駆動ローラーと対向する位置に設けられ、前記被記録媒体の第２面に送風可能な送風部と、を有し、前記制御部は、前記被記録媒体を前記検出部が検出すると、前記送風部から送風させるように前記搬送部を制御することを特徴とする。
【０００７】
本態様によれば、前記制御部は、前記被記録媒体を前記検出部が検出すると、前記送風部から送風させるように前記搬送部を制御する。前記送風部から送風されると、前記駆動ローラーと前記送風部とが対向する位置に前記被記録媒体を導入した際に、前記送風部からの風で前記被記録媒体が前記駆動ローラーに押し当てられて保持される。したがって、前記被記録媒体を該被記録媒体の搬送経路に導入した後に、該被記録媒体の自重などにより、被記録媒体が搬送経路から抜け出てしまうことを抑制できる。こうして、被記録媒体を搬送経路に導入する際の操作性を向上することができる。
【０００８】
本発明の第２の態様の記録装置は、被記録媒体をセットするセット部と、前記被記録媒体を搬送する搬送部と、前記セット部に設けられ、前記被記録媒体を検出する検出部と、前記搬送部を制御する制御部と、を備え、前記搬送部は、前記被記録媒体の第１面と接触可能に設けられ、前記第１面に送り力を付与する駆動ローラーと、前記駆動ローラーと対向する位置に設けられ、前記被記録媒体の第２面に送風可能な送風部と、を有し、前記制御部は、前記被記録媒体を前記検出部が検出すると、前記送風部から送風させるように前記搬送部を制御することを特徴とする。
【０００９】
ここで、「セット部」とは、被記録媒体を、記録を実行する領域に送り出すために該被記録媒体をセットするものである。例えば、ロール状の被記録媒体をセットするセット部や、単票状の被記録媒体をセットする給紙（給送）トレイ及び給紙（給送）カセットなどと呼ばれるものが該当する。  
本態様によれば、前記制御部は、前記被記録媒体を前記検出部が検出すると、即ち前記被記録媒体が前記セット部にセットされたことを前記検出部が検出すると、前記送風部から送風させるように前記搬送部を制御する。前記送風部から送風されると、前記駆動ローラーと前記送風部とが対向する位置に前記被記録媒体を導入した際に、前記送風部からの風で前記被記録媒体が前記駆動ローラーに押し当てられて保持される。したがって、前記被記録媒体を該被記録媒体の搬送経路に導入した後に、該被記録媒体の自重などにより、被記録媒体が搬送経路から抜け出てしまうことを抑制できる。こうして、被記録媒体を搬送経路に導入する際の操作性を向上することができる。
【００１０】
本発明の第３の態様の記録装置は、前記第１の態様において、前記検出部は、前記被記録媒体の搬送方向における前記搬送部の下流側に設けられることを特徴とする。
【００１１】
本態様によれば、前記検出部は前記被記録媒体の搬送方向における前記搬送部の下流側に設けられる。このため、前記検出部は、前記駆動ローラーと前記送風部とが対向する位置に前記被記録媒体が導入されたことを高い精度で検出できる。したがって、前記駆動ローラーと前記送風部とが対向する位置に前記被記録媒体が導入される前に送風部から送風させてしまうことに伴う無駄を抑制できる。
【００１２】
本発明の第４の態様の記録装置は、前記第１から第３のいずれか１つの態様において、前記送風部は、前記制御部の制御により送風量を調整可能であることを特徴とする。
【００１３】
本態様によれば、前記送風部は前記制御部の制御により送風量を調整可能である。すなわち、前記搬送部における前記駆動ローラーと前記送風部により送風される風とによる前記被記録媒体の挟持力を調整可能である。このため、例えば使用する被記録媒体等に応じて前記送風量を調整することにより、前記搬送部は精度よく被記録媒体を搬送して搬送不具合を抑制することが可能になる。
【００１４】
本発明の第５の態様の記録装置は、前記第４の態様において、前記被記録媒体の搬送量を検出可能な搬送量検出部を備え、前記制御部は、前記搬送量検出部が検出した前記搬送量に応じて、前記送風部の送風量を調整可能であることを特徴とする。
【００１５】
本態様によれば、前記制御部は、前記搬送量検出部が検出した前記搬送量に応じて、前記送風部の送風量を調整可能である。このため、例えば、前記搬送量検出部が検出した前記搬送量が所定の量と異なる場合は、前記送風量を調整して前記被記録媒体の搬送に伴う前記搬送部における挟持力及び前記被記録媒体の搬送方向における張力等を調整し、前記搬送量を調整することが可能になる。
【００１６】
本発明の第６の態様の記録装置は、前記第４又は第５の態様において、前記送風部は、前記制御部の制御により前記被記録媒体の搬送方向と交差する方向において送風量を調整可能であることを特徴とする。
【００１７】
本態様によれば、前記送風部は、前記制御部の制御により前記被記録媒体の搬送方向と交差する方向において送風量を調整可能である。このため、前記被記録媒体の搬送方向と交差する方向において送風量を調整することにより、適切に前記被記録媒体を搬送することが可能になる。
【００１８】
本発明の第７の態様の記録装置は、前記第６の態様において、前記被記録媒体の搬送方向と交差する方向における前記被記録媒体の幅を検出可能な幅検出部を備え、前記制御部は、前記幅検出部が検出した前記幅に応じて、前記被記録媒体の搬送方向と交差する方向における前記送風部の送風量を調整可能であることを特徴とする。
【００１９】
本態様によれば、前記制御部は、前記幅検出部が検出した前記幅に応じて、前記被記録媒体の搬送方向と交差する方向における前記送風部の送風量を調整可能である。したがって、使用する被記録媒体の幅に応じて前記送風量を調整できるため、例えば幅が狭い被記録媒体を使用した場合に、該被記録媒体と対向しない位置において送風するといった無駄を抑制できる。
【００２０】
本発明の第８の態様の記録装置は、前記第６又は第７の態様において、前記被記録媒体が斜行搬送をした場合に斜行方向を検出可能な斜行搬送検出部を備え、前記制御部は、前記斜行搬送検出部が検出した斜行方向に応じて、前記被記録媒体の搬送方向と交差する方向における前記送風部の送風量を調整可能であることを特徴とする。
【００２１】
本態様によれば、前記制御部は、前記斜行搬送検出部が検出した斜行方向に応じて、前記被記録媒体の搬送方向と交差する方向における前記送風部の送風量を調整可能である。このため、前記被記録媒体が斜行することにより前記被記録媒体の搬送方向における張力が前記搬送方向と交差する方向において異なった場合に、前記搬送方向と交差する方向における前記送風部の送風量を調整し、前記張力の差を少なくすることによって前記被記録媒体の斜行を低減又は修正することができる。
【００２２】
本発明の第９の態様の記録装置は、前記第１から第８のいずれか１つの態様において、前記送風部はイオンを吹き出し可能なファンであることを特徴とする。
【００２３】
本態様によれば、前記送風部はイオンを吹き出し可能なファンである。このため、記録前に、前記イオンにより前記被記録媒体の静電気を除去することにより記録品質を向上することができる。
【００２４】
本発明の第１０の態様の記録装置は、前記第１から第９のいずれか１つの態様において、前記被記録媒体に記録する記録部を備え、前記制御部は、前記記録部による前記被記録媒体への記録動作中か否かに応じて、前記送風部の送風量を調整可能であることを特徴とする。
【００２５】
本態様によれば、前記制御部は、前記記録部による前記被記録媒体への記録動作中か否かに応じて、前記送風部の送風量を調整可能である。したがって、例えば、記録動作中以外は、前記被記録媒体が移動しない程度に前記送風部の送風量を弱めること等ができる。こうして、前記搬送部において強い挟持力で挟持し続けることで前記被記録媒体にダメージを与えること等を抑制することができる。
【００２６】
本発明の第１１の態様の被記録媒体の搬送経路への導入方法は、被記録媒体を記録装置にセットするセット工程と、前記被記録媒体を検出する検出工程と、前記検出工程で前記被記録媒体を検出すると、前記被記録媒体の第１面と接触可能に設けられ前記第１面に送り力を付与する駆動ローラーに向けて、前記駆動ローラーと対向する位置に設けられ前記被記録媒体の第２面に送風可能な送風部から送風する送風工程と、を有することを特徴とする。
【００２７】
本態様によれば、前記送風工程は、前記検出工程で前記被記録媒体を検出すると、前記駆動ローラーに向けて前記送風部から送風する。前記送風部から送風されると、前記駆動ローラーと前記送風部とが対向する位置に前記被記録媒体を導入した際に、前記送風部からの風で前記被記録媒体が前記駆動ローラーに押し当てられて保持される。したがって、前記被記録媒体を該被記録媒体の搬送経路に導入した後に、該被記録媒体の自重などにより、被記録媒体が搬送経路から抜け出てしまうことを抑制できる。こうして、被記録媒体を搬送経路に導入する際の操作性を向上することができる。
【図面の簡単な説明】
【００２８】
【図１】本発明の実施例１に係る記録装置を表す概略側面図。
【図２】本発明の実施例１に係る記録装置の要部拡大図。
【図３】本発明の実施例１に係る記録装置のブロック図。
【図４】本発明の実施例１に係る記録装置を表す概略平面図。
【図５】本発明の実施例１に係る記録装置を表す概略平面図。
【図６】本発明の実施例２に係る記録装置を表す概略側面図。
【図７】本発明の一実施例に係る被記録媒体の搬送経路への導入方法のフローチャート。
【発明を実施するための形態】
【００２９】
以下に、本発明の実施例に係る記録装置について、添付図面を参照して詳細に説明する。
【００３０】
［実施例１］（図１〜図５）  
図１は、本発明の実施例１に係る記録装置１を表す概略側面図である。  
本実施例の記録装置１は、被記録媒体Ｐのセット部１４から、被記録媒体Ｐの支持部であるプラテン２、プラテン３及びプラテン４を介して、被記録媒体Ｐの巻取部１５まで、被記録媒体Ｐを搬送方向Ａに搬送する。すなわち、セット部１４から巻取部１５までが記録装置１における被記録媒体Ｐの搬送経路であり、プラテン２、プラテン３及びプラテン４は該搬送経路に設けられた被記録媒体Ｐの支持部である。なお、セット部１４は回転方向Ｃに回転して被記録媒体Ｐを送出し、巻取部１５は回転方向Ｃに回転して被記録媒体Ｐを巻き取る。
【００３１】
なお、本実施例の記録装置１は、ロール状の被記録媒体Ｐに記録を行うことが可能な構成であるが、このような構成に限定されず、単票状の被記録媒体Ｐに記録を行うことが可能な構成であってもよい。単票状の被記録媒体Ｐに記録を行うことが可能な構成である場合、被記録媒体Ｐのセット部１４として、例えば、所謂、給紙（給送）トレイ及び給紙（給送）カセットなどと呼ばれるものを使用してもよい。また、被記録媒体Ｐの回収部として、巻取部１５以外の回収部として、例えば、所謂、排出用受部、排紙（排出）トレイ及び排紙（排出）カセットなどと呼ばれるものを使用してもよい。
【００３２】
本実施例の記録装置１は、プラテン２とプラテン３の間に駆動ローラー５が設けられ、駆動ローラー５と対向する位置（上部）には送風部であるファン７が設けられている。ファン７は駆動ローラー５に向かう方向Ｄに送風することが可能である。そして、その風圧により被記録媒体Ｐを駆動ローラー５に押し付けることができる。このような構成により、駆動ローラー５とファン７とで搬送部９を構成している。  
別の表現をすると、搬送部９は、被記録媒体Ｐの第１面１７（記録面に対する裏面）と接触可能に設けられ第１面１７に送り力を付与する駆動ローラー５と、駆動ローラー５と対向する位置に設けられ被記録媒体Ｐの第２面１６（記録面）に送風可能なファン７と、を有している。
【００３３】
このように、本実施例の搬送部９は、従動ローラーと駆動ローラーとの間で被記録媒体Ｐの記録面側に接触して挟持することなく該被記録媒体Ｐを搬送することができる。このため、被記録媒体Ｐの搬送に伴うローラー痕の付着などの搬送不具合を抑制している。特に、被記録媒体Ｐの記録面側に従動ローラーの跡が付くことを防止できる構成になっている。
【００３４】
なお、本実施例では記録面が外側になるように巻かれているロール式の被記録媒体Ｐを使用しているので、被記録媒体Ｐをセット部１４から送出する際、セット部１４は回転軸を回転方向Ｃに回転する。一方、記録面が内側になるように巻かれているロール式の被記録媒体Ｐを使用する場合は、セット部１４は回転軸を回転方向Ｃとは逆回転して被記録媒体Ｐを送出することが可能である。  
そして、同様に、本実施例の巻取部１５は被記録媒体Ｐの記録面が外側になるように巻き取るので、巻取部１５は回転軸を回転方向Ｃに回転する。一方、記録面が内側になるように巻き取る場合は、巻取部１５は回転軸を回転方向Ｃとは逆回転して被記録媒体Ｐを巻き取ることが可能である。
【００３５】
被記録媒体Ｐの搬送経路であって、搬送方向Ａにおける搬送部９の下流側には、被記録媒体Ｐを検出する検出部としての光学式のセンサー６が設けられている。センサー６は、駆動ローラー５とファン７とが対向する位置に被記録媒体Ｐが導入されたことを検出する。
【００３６】
また、本実施例の記録装置１は、プラテン３と対向する側に記録部としての記録ヘッド１２が備えられている。記録装置１は、キャリッジ１１を介して搬送方向Ａと交差する方向Ｂに記録ヘッド１２を往復移動させながら、記録ヘッド１２のインク吐出面Ｆから被記録媒体Ｐにインクを吐出させて所望の画像を形成する。  
なお、本実施例の記録装置１は、往復移動しながら記録する記録ヘッド１２を備えているが、インクを吐出するノズルを搬送方向Ａと交差する方向に複数設けた所謂ラインヘッドを備える記録装置でもよい。  
ここで、「ラインヘッド」とは、被記録媒体Ｐの搬送方向Ａと交差する交差方向に形成されたノズルの領域が、前記被記録媒体Ｐの前記交差方向全体をカバー可能なように設けられ、記録ヘッド又は被記録媒体の一方を固定し他方を移動させて画像を形成する記録装置に用いられる記録ヘッドである。なお、ラインヘッドの前記交差方向のノズルの領域は、記録装置が対応している全ての被記録媒体Ｐの前記交差方向全体をカバー可能でなくてもよい。
【００３７】
また、キャリッジ１１には、搬送方向Ａと交差する方向Ｂにおける被記録媒体Ｐの幅を検出可能な幅検出部としての役割と、被記録媒体Ｐが斜行搬送された場合にその斜行方向を検出可能な斜行搬送検出部としての役割と、を兼ねるセンサー１０が設けられている。センサー１０についての詳細な説明は後述する。
【００３８】
また、プラテン３には、被記録媒体の搬送量を検出可能な搬送量検出部としてのセンサー８が設けられている。なお、本実施例の記録装置１はセンサー８をプラテン３に備えているが、別の場所に備えられていてもよい。
【００３９】
なお、本実施例の記録装置１は、搬送部９が搬送方向Ａにおいて記録ヘッド１２の上流側に設けられている。しかしながら、搬送部９が搬送方向Ａにおいて記録ヘッド１２を挟んで両側に設けられてもよい。搬送部９が前記両側に設けられる構成では、前記両側において被記録媒体Ｐを駆動ローラー５に押し付けることができるので、ジャムなどの搬送不良を効果的に抑制できる。
【００４０】
ここで、搬送部９のファン７は、イオンを吹き出すファンである。別の表現をすると、本実施例の記録装置１は、記録ヘッド１２に対して被記録媒体Ｐの搬送方向上流側にイオンを吹き出し可能なファンが設けられている。このため、記録ヘッド１２で記録する前に前記イオンにより被記録媒体Ｐの静電気を除去することにより記録品質を向上することができる。そして、搬送部９に被記録媒体Ｐの静電気除去部の役割を兼ねさせることにより低コスト化することができる。なお、イオンを吹き出すファンの具体的な実施例は、本実施例でも使用されているものであるが、イオン発生器とファンとが一体となったイオナイザーが挙げられる。ただし、イオナイザーに限定されない。また、イオンを吹き出すファン以外のファンを有する構成も本発明に含まれる。
【００４１】
また、図１及び本実施例の記録装置１の要部拡大図である図２で表されるように、搬送部９のファン７は、記録ヘッド１２から離れる方向である方向Ｄに送風する。具体的には、ファン７は搬送方向Ａの上流側に向けて方向Ｄに送風している。このため、ファン７から送られる風が記録ヘッド１２から吐出されるインクの飛行状態に影響し、被記録媒体Ｐへの着弾位置ズレを発生させるということを抑制している。また、被記録媒体Ｐの第２面１６に付着した異物が送風により除去され、記録不良の発生を抑制することができる。  
なお、本実施例ではファン７は、記録ヘッドがある方向と逆の方向に風が流れるように送風しているが、記録ヘッドがある方向と交差する方向に風が流れるように送風してもよい。この場合、記録ヘッド１２と被記録媒体Ｐとの間に浮遊する記録ヘッド１２から吐出されるインクのミストが、記録ヘッド１２に再付着することが抑制され、記録ヘッド１２から安定してインクを吐出可能である。ただし、ファン７の送風方向が記録ヘッド１２に向かう方向である構成も本発明に含まれる。ファン７ａ、７ｂ、７ｃ及び７ｄは、搬送方向下流側において方向Ｂに移動するキャリッジ１１の位置により、個別に風向きを変えることが可能な構成としてもよい。例えば、記録ヘッド１２に向かう方向とは逆の方向に風が流れるように、方向Ｂにおけるキャリッジ１１の移動方向において下流側に位置するファンは該下流側に向けて送風し、方向Ｂにおけるキャリッジ１１の移動方向において下流側に位置するファンは該下流側に向けて送風する構成としてもよい。
【００４２】
次に、本実施例の記録装置１における電気的な構成について説明する。  
図３は、本実施例の記録装置１のブロック図である。  
制御部１８には、記録装置１の全体の制御を司るＣＰＵ１９が設けられている。ＣＰＵ１９は、システムバス２０を介して、ＣＰＵ１９が実行する各種制御プログラムやメンテナンスシーケンス等を格納したＲＯＭ２１と、データを一時的に格納可能なＲＡＭ２２と、接続されている。
【００４３】
また、ＣＰＵ１９は、システムバス２０を介して、記録ヘッド１２を駆動するためのヘッド駆動部２３と接続されている。  
また、ＣＰＵ１９は、システムバス２０を介して、キャリッジ１１を移動させるためのキャリッジモーター２５、セット部１４の駆動源である送出モーター２６、駆動ローラー５の駆動源である搬送モーター２７、巻取部１５の駆動源である巻取モーター２８、を駆動させるためのモーター駆動部２４と接続されている。  
また、ＣＰＵ１９は、システムバス２０を介して、ファン７を駆動するためのファン駆動部３０と接続されている。  
さらに、ＣＰＵ１９は、システムバス２０を介して、入出力部３１と接続されており、入出力部３１は、センサー６、８及び１０、記録データ等を記録装置１に入力する外部装置であるＰＣ２９、と接続されている。
【００４４】
上記のように、本実施例の記録装置１は、被記録媒体Ｐをセットするセット部１４と、被記録媒体Ｐを搬送する搬送部９と、被記録媒体Ｐの搬送経路に設けられ被記録媒体Ｐを検出するセンサー６と、を備えている。  
そして、制御部１２は、搬送部９を制御可能であり、被記録媒体Ｐをセンサー６が検出すると、ファン７から送風させるように搬送部９を制御している。  
ファン７から送風されると、駆動ローラー５とファン７とが対向する位置に被記録媒体Ｐを導入した際に、ファン７からの風で被記録媒体Ｐが駆動ローラー５に押し当てられて保持される。したがって、本実施例の記録装置１は、被記録媒体Ｐを該被記録媒体Ｐの搬送経路に導入した後に、該被記録媒体Ｐの自重などにより、被記録媒体Ｐが搬送経路から抜け出てしまうことを抑制している。こうして、被記録媒体Ｐを搬送経路に導入する際の操作性を向上している。
【００４５】
また、図１で表されるように、本実施例の記録装置１のセンサー６は、搬送方向Ａにおける搬送部９の下流側に設けられている。  
このため、センサー６は、駆動ローラー５とファン７とが対向する位置に被記録媒体Ｐが導入されたことを高い精度で検出している。したがって、駆動ローラー５とファン７とが対向する位置に被記録媒体Ｐが導入される前に送風部から送風させてしまうことに伴う無駄を抑制している。
【００４６】
また、本実施例の記録装置１のファン７は、制御部１８の制御により送風量を調整可能である。詳細には、後述するように方向Ｂにおける送風量を調整可能であるとともに、ファン７から送風する全体の送風量を調整可能である。したがって、搬送部９における駆動ローラー５とファン７により送風される風とによる被記録媒体Ｐの挟持力を調整可能である。  
このため、例えば使用する被記録媒体Ｐ等に応じて送風量を調整することにより、搬送部９は精度よく被記録媒体Ｐを搬送することが可能になり、本実施例の記録装置１は搬送不具合を抑制することが可能な構成になっている。  
また、図２で表されるように、駆動ローラー５の回転軸３３とプラテン３における搬送方向Ａの下流側端部である外縁部３２とを結んだ直線３４を超えない範囲Ｒ１で挟持するよう搬送量を調整しておくことが望ましい。このような構成とすることにより、被記録媒体Ｐを安定して搬送することができる。
【００４７】
また、上記のように、本実施例の記録装置１は、被記録媒体Ｐの搬送量を検出可能なセンサー８を備えている。  
そして、制御部１８は、センサー８が検出した搬送量に応じて、ファン７の送風量を調整可能である。  
このため、例えば、センサー８が検出した搬送量が所定の量と異なる場合は、送風量を調整して被記録媒体Ｐの搬送に伴う搬送部９における挟持力及び被記録媒体Ｐの搬送方向Ａにおける張力等を調整し、搬送量を調整している。
【００４８】
また、上記のように、本実施例の記録装置１は、被記録媒体Ｐに記録する記録部としての記録ヘッド１２を備えている。  
そして、制御部１８は、記録ヘッド１２による被記録媒体Ｐへの記録動作中か否かに応じて、ファン７の送風量を調整可能である。  
したがって、例えば、記録動作中以外は、被記録媒体Ｐが移動しない程度にファン７の送風量を弱めること等ができる。また、キャリッジ１１がプラテン３上の領域にない場合は、ファン７の送風を止めてもよい。こうして、搬送部９において強い挟持力で挟持し続けることで被記録媒体Ｐにダメージを与えること等を抑制することができる構成になっている。
【００４９】
次に、ファン７、センサー８及びセンサー１０の詳細な構成及び機能について説明する。  
図４及び図５は、本実施例の記録装置１を表す概略平面図である。詳細には、図４は、記録装置１のプラテン３における使用可能な被記録媒体Ｐの支持位置を表している。そして、図５は、被記録媒体Ｐが斜行搬送した場合を模式的に表している。
【００５０】
本実施例の記録装置１のファン７は、方向Ｂにおいてファン７ａ、７ｂ、７ｃ及び７ｄと４分割されて構成されており、制御部１８がファン７ａ、７ｂ、７ｃ及び７ｄを個別に制御することにより方向Ｂにおける送風量を調整可能な構成になっている。  
すなわち、ファン７は、制御部１８の制御により搬送方向Ａと交差する方向Ｂにおいて送風量を調整可能である。このため、方向Ｂにおいて送風量を調整することで、適切に被記録媒体Ｐを搬送することが可能な構成になっている。  
なお、本実施例のファン７は、方向Ｂにおいて４分割されて構成されているが、３分割以下であっても５分割以上であってもよい。また、ファン７の吹き出し口を絞ることで所望の風速に挙げることができる。温風が送風されるようにヒーターを内蔵していてもよく、被記録媒体Ｐがヒーターで加温されることにより、記録ヘッド１２のインク吐出面Ｆから被記録媒体Ｐにインクを吐出させて所望の画像を形成する際に、インクの乾燥がより促進される。
【００５１】
また、本実施例の記録装置１は、センサー８として、方向Ｂにおいて、図４及び図５における右側に相当するホームポジション側から順に、センサー８ａ、８ｂ及び８ｃが設けられている。  
また、センサー６は、方向Ｂにおいてホームポジション側であって、プラテン３と対向する位置に設けられている。  
なお、センサー８及びセンサー６の配置や数は本実施例の配置や数に限定されない。
【００５２】
本実施例の記録装置１は、図４で表されるように、被記録媒体Ｐとして、方向Ｂにおける幅Ｌ１の被記録媒体Ｐ１と、方向Ｂにおける幅Ｌ２の被記録媒体Ｐ２とを使用できる。なお、被記録媒体Ｐの幅は、キャリッジ１１が方向Ｂに移動しつつセンサー１０が被記録媒体Ｐを検出することによって検出可能である。すなわち、本実施例の記録装置１は、方向Ｂにおける被記録媒体Ｐの幅を検出可能な幅検出部としてのセンサー１０を備えている。  
そして、制御部１８は、センサー１０が検出した被記録媒体Ｐの幅に応じて、方向Ｂにおけるファン７の送風量を調整可能である。  
したがって、使用する被記録媒体Ｐの幅に応じてファン７の送風量を調整できる。例えば、幅が狭い被記録媒体Ｐ２を使用した場合に、該被記録媒体Ｐ２と対向しない位置のファン７ｄにおいて送風をしないように制御し、被記録媒体Ｐと対向しない位置において送風するといった無駄を抑制できる。  
なお、本実施例の記録装置１は、幅Ｌ１の被記録媒体Ｐ１と、幅Ｌ２の被記録媒体Ｐ２とを使用できる構成としたが、３種類以上の幅の被記録媒体Ｐを使用できる構成としてもよい。
【００５３】
また、上記のように、センサー１０は、被記録媒体Ｐが斜行搬送をした場合に斜行方向を検出可能な構成になっている。具体的には、本実施例のセンサー１０は、搬送方向Ａにおいて複数の検出位置で、被記録媒体Ｐとセンサー１０との距離（ＰＧ）を測定可能な構成となっている。ここで、例えば、図５で表されるように、被記録媒体Ｐが搬送方向Ａの下流側に搬送されるにつれて方向Ｂにおいてホームポジション側（図中右側）の方向に斜行される場合、搬送方向Ａの下流側に進むにつれて図中右側に向かう皺Ｗが発生する。このような皺Ｗが発生した場合、センサー１０は搬送方向Ａの上流側の検出位置よりも下流側の検出位置の方が図中右側となるＰＧ異常を検出する。このような構成により、センサー１０は、被記録媒体Ｐが斜行搬送をした場合に斜行方向を検出可能な構成になっている。  
ただし、センサー１０の構成はこのような構成に限定されない。
【００５４】
上記のように、本実施例の記録装置１は、被記録媒体Ｐが斜行搬送をした場合に斜行方向を検出可能なセンサー１０を備えている。  
そして、制御部１８は、センサー１０が検出した斜行方向に応じて、被記録媒体Ｐの搬送方向と交差する方向におけるファン７の送風量を調整可能である。  
このため、被記録媒体Ｐが斜行することにより被記録媒体Ｐの搬送方向Ａにおける張力が方向Ｂにおいて異なった場合に、方向Ｂにおけるファン７送風量を調整し、方向Ｂにおける前記張力の差を少なくすることによって被記録媒体Ｐの斜行を低減又は修正することができる構成になっている。例えば、被記録媒体Ｐが間欠搬送される場合、キャリッジ１１を介して搬送方向Ａと交差する方向Ｂに記録ヘッド１２を往復移動させながら、記録ヘッド１２のインク吐出面Ｆから被記録媒体Ｐにインクを吐出させて所望の画像を形成する際は、方向Ｂにおけるファン７ａ、７ｂ、７ｃ及び７ｄの送風量を一定とし、画像形成後の被記録媒体Ｐの搬送時において、７ａ及び７ｂの送風量を７ｃ及び７ｄの送風量よりも低減させるか、７ｃ及び７ｄの送風量を７ａ及び７ｂの送風量よりも大きくする。画像を形成する際に、ファン７ａ、７ｂ、７ｃ及び７ｄの送風量が変化することにより被記録媒体Ｐがプラテン３から浮き、キャリッジ１１に接触してしまう不具合を抑制することが可能である。  
なお、本実施例の記録装置１は、被記録媒体Ｐの搬送量を検出可能な搬送量検出部としてのセンサー８を、センサー８ａ、８ｂ及び８ｃと方向Ｂに複数有しているため、センサー８ａ、８ｂ及び８ｃが検出する被記録媒体Ｐの搬送量の違いから、斜行方向を検出することもできる。そして、制御部１８は、センサー８が検出した斜行方向に応じて、被記録媒体Ｐの搬送方向と交差する方向におけるファン７の送風量を調整することもできる。
【００５５】
［実施例２］（図６）  
次に、実施例２の記録装置について、添付図面を参照して詳細に説明する。  
図６は、本実施例の記録装置１の概略側面図を表している。なお、上記実施例と共通する構成部材は同じ符号で示しており、詳細な説明は省略する。  
なお、本実施例の記録装置１は、搬送部９の下流側に被記録媒体Ｐを検出する検出部としての光学式のセンサー６が設けられている代わりに、セット部１４に被記録媒体Ｐを検出する検出部としての光学式のセンサー１３が設けられている以外は実施例１の記録装置１と同様の構成である。
【００５６】
本実施例の記録装置１は、実施例１の記録装置１と同様の構成のセット部１４と搬送部９とを備えている。  
また、上記のように、セット部１４に被記録媒体Ｐを検出するセンサー１３が設けられている。  
そして、制御部１８は、被記録媒体Ｐをセンサー１３が検出すると、ファン７から送風させるように搬送部９を制御する。  
このように、本実施例の制御部１８は、被記録媒体Ｐをセンサー１３が検出すると、即ち被記録媒体Ｐがセット部１４にセットされたことをセンサー１３が検出すると、ファン７から送風させるように搬送部９を制御する。したがって、実施例１の記録装置１と同様、被記録媒体Ｐを該被記録媒体Ｐの搬送経路に導入した後に、該被記録媒体Ｐの自重などにより、被記録媒体Ｐが搬送経路から抜け出てしまうことを抑制している。こうして、被記録媒体Ｐを搬送経路に導入する際の操作性を向上している。  
なお、セット部１４に被記録媒体Ｐがセットされてから被記録媒体Ｐを該被記録媒体Ｐの搬送経路に導入するまでの時間が所定の時間を超える場合には、制御部１８がファン７からの送風を停止するよう制御するように構成してもよい。
【００５７】
［被記録媒体の搬送経路への導入方法の実施例］（図７）  
次に、実施例１の記録装置１を用いた被記録媒体の搬送経路への導入方法の実施例について説明する。  
図７は、本実施例の被記録媒体の搬送経路への導入方法のフローチャートである。
【００５８】
本実施例の被記録媒体の搬送経路への導入方法では、最初に、ステップＳ１１０のセット工程で、ユーザーによって被記録媒体Ｐを記録装置１のセット部１４にセットする。  
ユーザーによって被記録媒体Ｐがセットされると、ステップＳ１２０の検出工程で、被記録媒体Ｐを検出する。なお、本ステップは、本実施例では、実施例１の記録装置１を用いているので、ユーザーが被記録媒体Ｐを搬送経路に導入し、搬送経路に導入された被記録媒体Ｐをセンサー６が検出するステップである。しかしながら、例えば、実施例２の記録装置１を用いて、被記録媒体Ｐがセット部１４にセットされたことをセンサー１３が検出するステップとしてもよい。  
ステップＳ１２０で被記録媒体Ｐを検出すると、ステップＳ１３０の送風工程で、被記録媒体Ｐの第１面１７と接触可能に設けられ第１面１７に送り力を付与する駆動ローラー５に向けて、駆動ローラー５と対向する位置に設けられ被記録媒体Ｐの第２面１６に送風可能なファン７から送風する。  
本実施例の被記録媒体の搬送経路への導入方法では、被記録媒体Ｐを該被記録媒体Ｐの搬送経路に導入した後に、該被記録媒体Ｐの自重などにより、被記録媒体Ｐが搬送経路から抜け出てしまうことを抑制できる。こうして、被記録媒体Ｐを搬送経路に導入する際の操作性を向上することができる。
【符号の説明】
【００５９】
１  記録装置、２  プラテン、３  プラテン、４  プラテン、５  駆動ローラー、
６  センサー（検出部）、７  ファン（送風部）、８  センサー（搬送量検出部）、
９  搬送部、１０  センサー（幅検出部、斜行搬送検出部）、１１  キャリッジ、
１２  記録ヘッド、１３  センサー（検出部）、１４  セット部、１５  巻取部、
１６  被記録媒体Ｐの第２面、１７  被記録媒体Ｐの第１面、１８  制御部、
１９  ＣＰＵ、２０  システムバス、２１  ＲＯＭ、２２  ＲＡＭ、
２３  ヘッド駆動部、２４  モーター駆動部、２５  キャリッジモーター、
２６  送出モーター、２７  搬送モーター、２８  巻取モーター、２９  ＰＣ、
３０  ファン駆動部、３１  入出力部、３２  プラテン３の外縁部、
３３  駆動ローラー５の回転軸、３４  回転軸３３と外縁部３２とを結んだ直線、
Ｐ  被記録媒体
【図１】
2015136864.tif 000003
【図２】
2015136864.tif 000004
【図３】
2015136864.tif 000005
【図４】
2015136864.tif 000006
【図５】
2015136864.tif 000007
【図６】
2015136864.tif 000008
【図７】
2015136864.tif 000009